(57)【特許請求の範囲】
【請求項１】
カード保持具であって、
前記カード取出用の開口を有し、内部に前記カードを保持可能な扁平箱形の内側ケースと、
前記内側ケース出し入れ用の開口を有し、内部に前記内側ケースを前後方向移動自在に収容する内側ケース用ポケット部を設けてなる扁平箱形の中間ケースと、
前記中間ケース出し入れ用の開口を有し、内部に前記中間ケースを収容する中間ケース用ポケット部を設けて扁平箱形に形成されているとともに、前記中間ケースが内側ケース出し入れ用の開口を内側に向けて収容される格納位置と内側ケース出し入れ用の開口を外側に向けて排出される排出位置に回動切り換え可能に取り付けられた外側ケースと、
前記内側ケースを前記内側ケース出し入れ用の開口に向かって付勢する弾性部材と、
係止部と被係止部とで成り、前記内側ケースを前記弾性部材の付勢に抗して前記中間ケースの内側ケース用ポケット部内底部側に保持する解除可能なロック部材と、
前記中間ケースの前記排出位置への回動操作に連動して前記ロック部材によるロックを解除するロック解除部材と、
を備えてなることを特徴とするカード保持具。
【請求項２】
前記中間ケースは、前記格納位置に回動されると、前記外側ケースの前記中間ケース出し入れ用の開口を閉塞して配置されることを特徴とする請求項１に記載のカード保持具。
【請求項３】
前記中間ケースの外面にガイドピンを突設し、前記外側ケースの内面側に前記ガイドピンが係合されて前記中間ケースの回動を案内する弧状のガイド用長孔を設けてなることを特徴とする請求項１または２に記載のカード保持具。
【請求項４】
前記ロック部材は前記係止部を被係止部側に向かって付勢するロック用弾性部材を備え、前記ロック解除部材は前記中間ケースの移動に連動して前記係止部をロック解除側に逃がすロック解除操作片を備えてなることを特徴とする請求項１から請求項３のいずれか一項に記載のカード保持具。
【請求項５】
前記内側ケースには、保持されたカードの端部を外方から指で把持し得る切欠部を設けてなることを特徴とする請求項１から請求項４のいずれか一項に記載のカード保持具。
【発明の詳細な説明】
【技術分野】
【０００１】
本発明は、ゲーム装置において使用されるゲームカードやキャッシュカード、ハイウエイカード等のカードを保持するカード保持具に関する。
【背景技術】
【０００２】
従来、収納されたカードがケースに設けられた突起を押されるとばね等の弾性によって突出し、簡単に取り出せるようになっているカードケースが知られている（特許文献１、特許文献２参照）。
【先行技術文献】
【特許文献】
【０００３】
【特許文献１】実開昭５９−７２９２４号公報
【特許文献２】特開平５−２７７００７号公報
【発明の概要】
【発明が解決しようとする課題】
【０００４】
特許文献１及び特許文献２に記載のカードケースにおいては、カードを取り出す際にはカードケース上の突起の位置を探らなければならず、面倒であった。
【０００５】
本発明は、上記の問題を鑑みてなされたものであり、カードを容易に取り出すことができるカード保持具を提供することを目的とする。
【課題を解決するための手段】
【０００６】
上記課題を解決するために、本発明に係るカード保持具は、前記カード取出用の開口を有し、内部に前記カードを保持可能な扁平箱形の内側ケースと、前記内側ケース出し入れ用の開口を有し、内部に前記内側ケースを前後方向移動自在に収容する内側ケース用ポケット部を設けてなる扁平箱形の中間ケースと、前記中間ケース出し入れ用の開口を有し、内部に前記中間ケースを収容する中間ケース用ポケット部を設けて扁平箱形に形成されているとともに、前記中間ケースが内側ケース出し入れ用の開口を内側に向けて収容される格納位置と内側ケース出し入れ用の開口を外側に向けて排出される排出位置に回動切り換え可能に取り付けられた外側ケースと、前記内側ケースを前記内側ケース出し入れ用の開口に向かって付勢する弾性部材と、係止部と被係止部とで成り、前記内側ケースを前記弾性部材の付勢に抗して前記中間ケースの内側ケース用ポケット部内底部側に保持する解除可能なロック部材と、前記中間ケースの前記排出位置への回動操作に連動して前記ロック部材によるロックを解除するロック解除部材と、を備えてなる。
【０００７】
上記構成において、前記中間ケースは、前記格納位置に回動されると、前記外側ケースの前記中間ケース出し入れ用の開口を閉塞して配置される、構成を採用できる。
【０００８】
上記構成において、前記中間ケースの外面にガイドピンを突設し、前記外側ケースの内面側に前記ガイドピンが係合されて前記中間ケースの回動を案内する弧状のガイド用長孔を設けてなる、構成を採用できる。
【０００９】
上記構成において、前記ロック部材は前記係止部を被係止部側に向かって付勢するロック用弾性部材を備え、前記ロック解除部材は前記中間ケースの移動に連動して前記係止部をロック解除側に逃がすロック解除操作片を備えてなる、構成を採用できる。
【００１０】
上記構成において、前記内側ケースには、保持されたカードの端部を外方から指で把持し得る切欠部を設けてなる、構成を採用できる。
【００１１】
また、本発明に係るカード保持具は、開口を有し、前記カードを支持するカード支持部と、前記カード支持部が第１の位置と第２の位置に切り換え可能に取り付けられた外側ケースと、前記カードを前記開口に向かって付勢する弾性部材と、前記カードを前記弾性部材の付勢に抗して前記カード支持部における保持位置に保持する保持手段と、を有し、前記カード支持部が前記第１の位置から前記第２の位置に切り換えられたことに応じて、前記保持手段による保持が解除される。
【００１２】
また、本発明に係るカード保持具は、前記カードを支持するカード支持部と、前記カード支持部が第１の位置と第２の位置に切り換え可能に取り付けられた外側ケースと、前記カード支持部が前記第１の位置から前記第２の位置に切り換えられたことに応じて、前記カードを前記カード支持部から突出させることが可能な突出動作手段と、を有する。
【００１３】
また、本発明に係るカード保持具は、基部と、開口を有するとともに、前記カードを支持し、前記基部に対して相対的に動かすことが可能なカード支持部と、前記カードを前記開口に向かって付勢する弾性部材と、前記カードを前記弾性部材の付勢に抗して前記カード支持部における保持位置に保持する保持手段と、を有し、前記カード支持部を前記基部に対して相対的に動かすことにより、前記カードに対する前記保持手段による保持が解除される。
【００１４】
また、本発明に係るカード保持具は、基部と、前記カードを支持し、前記基部に対して相対的に動かすことが可能なカード支持部と、前記カード支持部を前記基部に対して相対的に動かすことにより、前記カードを前記カード支持部から突出させることが可能な突出動作手段と、を有する。
【００１５】
また、本発明に係るカード保持具は、開口を有し、前記カードを支持するカード支持部と、前記カードを前記開口に向かって付勢する弾性部材と、前記カードを前記弾性部材の付勢に抗して前記カード支持部における保持位置に保持する保持手段と、を有し、前記カード支持部を動かすことにより、前記カードに対する前記保持手段による保持が解除される。
【００１６】
また、本発明に係るカード保持具は、前記カードを支持するカード支持部と、前記カード支持部を動かすことにより、前記カードを前記カード支持部から突出させることが可能な突出動作手段と、を有する。
【００１７】
また、本発明に係るカード保持具は、前記カードを支持するカード支持部と、前記カード支持部が第１の位置と第２の位置に切り換え可能に取り付けられた外側ケースと、前記カード支持部を付勢する弾性部材と、前記カード支持部を前記弾性部材の付勢に抗して保持する保持手段と、を有し、前記カード支持部が前記第１の位置から前記第２の位置に切り換えられたことに応じて、前記保持手段による保持が解除される。
【００１８】
また、本発明に係るカード保持具は、前記カードを支持するカード支持部と、前記カード支持部が第１の位置と第２の位置に切り換え可能に取り付けられた外側ケースと、前記カード支持部が前記第１の位置から前記第２の位置に切り換えられたことに応じて、前記カード支持部を突出させることが可能な突出動作手段と、を有する。
【００１９】
また、本発明に係るカード保持具は、基部と、前記カードを支持し、前記基部に対して相対的に動かすことが可能なカード支持部と、前記カード支持部を付勢する弾性部材と、前記カード支持部を前記弾性部材の付勢に抗して保持する保持手段と、を有し、前記カード支持部を前記基部に対して相対的に動かすことにより、前記保持手段による保持が解除される。
【００２０】
また、本発明に係るカード保持具は、基部と、前記カードを支持し、前記基部に対して相対的に動かすことが可能なカード支持部と、前記カード支持部を前記基部に対して相対的に動かすことにより、前記カード支持部を突出させることが可能な突出動作手段と、を有する。
【００２１】
また、本発明に係るカード保持具は、前記カードを支持するカード支持部と、前記カード支持部を付勢する弾性部材と、前記カード支持部を前記弾性部材の付勢に抗して保持する保持手段と、を有し、前記カード支持部を動かすことにより、前記保持手段による保持が解除される。
【００２２】
また、本発明に係るカード保持具は、前記カードを支持するカード支持部と、前記カード支持部を動かすことにより、前記カード支持部を突出させることが可能な突出動作手段と、を有する。
【００２３】
また、本発明に係るカード保持具は、前記カードを第１の位置と第２の位置に切り換え可能に保持できる外側ケースと、前記カードを付勢する弾性部材と、前記カードを前記弾性部材の付勢に抗して保持する保持手段と、を有し、前記カードが前記第１の位置から前記第２の位置に切り換えられたことに応じて、前記保持手段による保持が解除される。
【００２４】
また、本発明に係るカード保持具は、前記カードを第１の位置と第２の位置に切り換え可能に保持できる外側ケースと、前記カードが前記第１の位置から前記第２の位置に切り換えられたことに応じて、前記カードを突出させることが可能な突出動作手段と、を有する。
【００２５】
また、本発明に係るカード保持具は、基部と、前記カードを付勢する弾性部材と、前記カードを前記弾性部材の付勢に抗して保持する保持手段と、を有し、前記基部に対して相対的に前記カードを動かすことにより、前記保持手段による保持が解除される。
【００２６】
また、本発明に係るカード保持具は、基部と、前記基部に対して相対的に前記カードを動かすことにより、前記カードを突出させることが可能な突出動作手段と、を有する。
【００２７】
また、本発明に係るカード保持具は、前記カードを付勢する弾性部材と、前記カードを前記弾性部材の付勢に抗して保持する保持手段と、を有し、前記カードを動かすことにより、前記保持手段による保持が解除される。
【００２８】
また、本発明に係るカード保持具は、前記カードを動かすことにより、前記カードを突出させることが可能な突出動作手段と、を有する。
【発明の効果】
【００２９】
本発明に係るカード保持具によれば、カードを容易に取り出すことが可能なカード保持具を提供することができる。
【図面の簡単な説明】
【００３０】
【図１】本発明の実施例に係るカード保持具の全体斜視図。
【図２】同上カード保持具を取付バンドと共に裏面側より見て示す全体斜視図。
【図３】カードを出し入れする状態で示す同上カード保持具の全体斜視図。
【図４】同上カード保持具の主要部品を分解して示す斜視図。
【図５】同上カード保持具の内側ケースを中間ケースの内側ケース用ポケット部内の底部に収容した状態で、内側ケースと中間ケースにおける主要部品の配置構成を示す図。
【図６】同上カード保持具の内側ケースの一部が中間ケースの内側ケース用ポケット部内より飛び出している状態で、内側ケースと中間ケースにおける主要部品の配置構成を示す図。
【図７】同上カード保持具のロック部材とロック解除部材の周辺構造を示す斜視図。
【図８】同上カード保持具の保持手段と解除手段の構造説明とその動作を説明する図であり、(ａ)は中間ケースが外側ケース内に完全に収容された状態で示す図、(ｂ)は中間ケースが外側ケースから引き出されている途中の状態で示す図、(ｃ)は中間ケースが外側ケースから完全に引き出された状態で示す図。
【図９】同上カード保持具の保持手段と解除手段の構造説明とその動作を説明する図であり、(ａ)は中間ケースが外側ケース内に完全に収容された状態で示す図、(ｂ)は中間ケースが外側ケースから引き出されている途中の状態で示す図、(ｃ)は中間ケースが外側ケースから完全に引き出された状態で示す図。
【発明を実施するための形態】
【００３１】
以下、本発明に係る好適な実施の形態について、図面を参照しながら詳細に説明する。
【００３２】
図１乃至図９は本発明の一実施例に係るカード保持具を示す。なお、以下の説明において、図１の矢印Ａ−Ｂ方向を前後方向として矢印Ａ方向を前側(または表側)、矢印Ｂ方向を後側(または裏側)、矢印Ｃ−Ｄ方向を上下方向として矢印Ｃ方向を上側、矢印Ｄ方向を下側、矢印Ｅ−Ｆ方向を左右方向として矢印Ｅ方向を左側、矢印Ｆ方向を右側として説明する。
【００３３】
図１乃至図９において、このカード保持具１１は、内側ケース１２と、中間ケース１３、外側ケース１４、弾性部材１５、ロック部材１６、ロック解除部材１７、等により構成されている。そして、内側ケース１２内に、ゲーム装置において使用されるゲームカードや、キャッシュカード、ハイウエイカード等のカード１８を、図３に示すように複数枚重ねて収容し、これを例えば図２に示すような取付バンド１９を介してズボンのベルトに装着して持ち運べるようになっている。なお、本実施例においては、内側ケース１２または中間ケース１３が、本発明における「カード支持部」に相当し、外側ケース１４が「基部」に相当する。
【００３４】
前記内側ケース１２は、図３乃至図６に示すように、右側面(図３乃至図６では上方を向いている)にカード取出用の開口２０(以下、開口２０という)を有する空間、すなわち、カード用ポケット部２１を内部に設けて扁平箱形に形成されたケースであり、合成樹脂を成形して形成されている。このカード用ポケット部２１には、開口２０を通って前記カード１８が１枚または複数枚重ねて収容され、また、取り出し可能になっている。なお、カード用ポケット部２１は、カード１８の全体を収容することができる大きさ(スペース)を有している。また、内側ケース１２の前後面には、開口２０に連通して切欠部２２が設けられている。この切欠部２２は、内側ケース１２内に収容されたカード１８の端部を外方から指で把持して取り出すのに使用され、切欠部２２に露出しているカード１８の端部を把持することにより内側ケース１２内に収容されたカード１８を容易に取り出すことができる。
【００３５】
前記中間ケース１３は、図１乃至図６に示すように、右側面(図３乃至図６では上方を向いている)に内側ケース出し入れ用の開口２３(以下、開口２３という)を有する空間、すなわち、内側ケース用ポケット部２４を内部に設けて扁平箱形に形成されたケースであり、合成樹脂を成形して形成されている。内側ケース用ポケット部２４には、内側ケース１２が開口２３から進退出可能に収容される。また、内側ケース用ポケット部２４は、内側ケース１２の全体を収容することができる大きさ(スペース)を有している。
【００３６】
また、中間ケース１３と内側ケース１２との間には、図５及び図６に示すように、前記弾性部材１５と前記ロック部材１６が配設されている。
【００３７】
前記弾性部材１５は、コイルスプリングである。この弾性部材１５は、一端部１５ａが内側ケース１２側に設けた係止部２５に掛け止めされているとともに、他端部１５ｂが中間ケース１３側に設けた係止部２６に掛け止めされており、内側ケース１２を開口２３側に向けて常に付勢している状態で張設されている。すなわち、弾性部材１５は、内側ケース１２を「カード支持部」と考えれば、「カード支持部」を付勢している。また、弾性部材１５は、中間ケース１３を「カード支持部」と考えれば、内側ケース１２を付勢することで、内側ケース１２とともにカード１８自体を「カード支持部」の開口２３側に向けて常に付勢していることにもなる。なお、内側ケース１２の開口２３側への移動は、内側ケース１２の前面１２ａに設けられている突起部２７が、中間ケース１３の内側ケース用ポケット部２４の内面に設けたストッパー(図示せず)と当接することにより規制される。
【００３８】
前記ロック部材１６は、内側ケース１２の外面に設けられた被係止部である切欠凹部２８と、中間ケース１３側に設けられた係止部としての係止爪部材２９等により構成されている。係止爪部材２９は、中間ケース１３の下側面１３近傍に、枢軸２９ｄを支点にして左右方向回動可能な状態で取り付けられている。また、係止爪部材２９の一端部側には、内側ケース１２の切欠凹部２８と係合可能な爪部２９ａと、後述するロック解除部材１７で使用する解除ピン部２９ｂが一体に設けられている。一方、係止爪部材２９の他端部側にはロック用弾性部材としてのスプリング３０が取り付けられる取付片部２９ｃが設けられている。スプリング３０は圧縮スプリングであり、係止爪部材２９の爪部２９ａが内側ケース用ポケット部２４内に突出するための回動付勢力を、常に該係止爪部材２９に付与している。したがって、図５に示すように、内側ケース１２が中間ケース１３の内側ケース用ポケット部２４の底部まで押し込まれると、係止爪部材２９の爪部２９ａが内側ケース１２側の切欠凹部２８内に落ち込み係合されてロック状態となり、該内側ケース１２を内側ケース用ポケット部２４内に収容保持しておくことができるようになっている。すなわち、本実施例においては、ロック部材１６が、本発明にいう「保持手段」に相当する。
【００３９】
前記外側ケース１４は、上面及び左側面内に連続した状態で開設されている中間ケース出し入れ用の開口３１(以下、開口３１という)を有する空間、すなわち中間ケース用ポケット部３２を内部に設けて扁平箱形に形成されたケースであり、合成樹脂を成型して形成されている。中間ケース用ポケット部３２には、開口３１を通って中間ケース１３が収容される。この中間ケース用ポケット部３２は、中間ケース１３の全体を収容することができる大きさ(スペース)を有する。また、図１及び図２に示すように、中間ケース１３が中間ケース用ポケット部３２内の格納位置に配置されているときには、中間ケース１３の上側面１３ａ及び左側面１３ｃは図２に示すように外側ケース１４の開口３１を閉塞するようにしてそれぞれ配置される。この構成によれば、中間ケース１３を格納位置に配置させると、該中間ケース１３が外側ケース１４の前記中間ケース出し入れ用の開口３２を閉塞して、外側ケース１４の側壁を形成して見栄えを良くすることができる。
【００４０】
図２に示すように、前記外側ケース１４の裏面１４ａ側には、左右１対のバンド取付部３３が成形時に一体に形成して設けられている。このバンド取付部３３には、取付バンド１９が挿通されて取り付けられるバンド取付穴３４が形成されている。取付バンド１９は、このカード保持具１１を別のカバンの吊り紐等に取り付けるときに使用される。また、バンド取付穴３４は、取付バンド１９を取り付ける以外にも、所有者がカード保持具１１を携行する際、ズボンのベルトを通すのに使用される。
【００４１】
一方、外側ケース１４の中間ケース用ポケット部３２の前後の内面には、この前後の内面のほぼ全体に亘って、それぞれ内張板３５ａ,３５ｂが取り付けられている。内張板３５ａ,３５ｂには、図４及び図７に示すように、外側ケース１４の左側面と下側面が交差するコーナ部分に位置して、切欠部３６が各々形成されている。内張板３５ａ,３５ｂの各切欠部３６には、中間ケース１３の左側面１３ｃと下側面１３ｂとが交差するコーナ部に位置して、中間ケース１３の前後面１３ｅ,１３ｆからそれぞれ直角に突設されている支軸３７(図４乃至図７参照)が通り、この支軸３７が外側ケース１４の前後内面に設けられている軸受部４５(図４参照)に上下方向回動可能に結合されている。すなわち、中間ケース１３は、その左側面１３ｃと下側面１３ｂとが交差するコーナ部が、外側ケース１４の正面視左下のコーナ部に取り付けられている。また、係止爪部材２９は、中間ケース１３上の側面のうち、第１の位置から第２の位置に切り替えられる際に後追側になる側面（本実施例でいう下側面１３ｂ）に設けられている。
【００４２】
すなわち、外側ケース１４には、中間ケース１３が支軸３７と軸受部１５の結合部分を支点として上下方向回動可能に取り付けられている。そして、中間ケース１３を正面視右方向(時計回り方向)に回転させると、この中間ケース１４は外側ケース１４の中間ケース用ポケット部３２内に全てが収容される図１及び図２に示す格納位置に配置される。逆に、格納位置から中間ケース１３を正面視左方向(半時計回り方向)に回転させると、この中間ケース１４を中間ケース用ポケット部３２内から引き出して図３に示す排出位置、すなわち、中間ケース１３が内側ケース１２と共に約９０度回転され、開口２０,２３が上側を向いた位置に配置することができる。なお、中間ケース１３の上側面１３ａの右側端部には、指を掛ける摘み３８が設けられており、この中間ケース１３を外側ケース１４の前記格納位置から前記排出位置に回転させて引き出す際、摘み３８に指を掛けると中間ケース１４を回転させ易くなり、容易に引き出すことができる。
【００４３】
すなわち、中間ケース１３を「カード支持部」と考えれば、「カード支持部」は、外側ケース１４に対して第１の位置（格納位置）と第２の位置（収納位置）に切り換え可能に取り付けられている。また、外側ケース１４を「基部」と考えるならば、「カード支持部」である中間ケース１３は「基部」に対して相対的に動かすことが可能となっていることになる。
【００４４】
また、中間ケース１３とともに内側ケース１２も回転するので、内側ケース１２も外側ケース１４に対して第１の位置（格納位置）と第２の位置（収納位置）に切り換え可能に取り付けられていることになる。したがって、内側ケース１２を「カード支持部」として考えても、やはり、「カード支持部」は外側ケース１４に対して第１の位置と第２の位置に切り換え可能に取り付けられていることになる。また、外側ケース１４を「基部」と考えるならば、「カード支持部」である内側ケース１２は「基部」に対して相対的に動かすことが可能となっていることになる。
【００４５】
また、前記内張板３５ａ,３５ｂには、図８及び図９に示すように、中間ケース１３の前後の側面１３ｅ,１３ｆに設けられているガイドピン３９がスライド可能に係合されるガイド用長孔４０が各々形成されている。このガイド用長孔４０は、支軸３７と軸受部４５の結合部分を支点として中間ケース１３が回転するときにガイドピン３９が描く弧状の軌跡に対応して弧状に形成されており、中間ケース１３が回転するときにガイドピン３９を介して該中間ケース１３の回転を案内する。この構成によれば、中間ケース１３が外側ケース１４に対して回動されるとき、この回動がガイドピン３９とガイド用長孔４０との係合を介してガイドされ、スムーズに移動できる。また、ガイド用長孔４０は、中間ケース１３が排出位置または格納位置に移動を終えると、この中間ケース１３のガイドピン３９がガイド用長孔４０の端部に当接し、中間ケース１３がそれ以上回転しないように規制するストッパーの機能も有している。
【００４６】
さらに、前記内張板３５ａには、図７乃至図９に示すように、前記係止爪部材２９の解除ピン部２９ｂに対応して、ロック解除用長孔４２が形成されている。ロック解除用長孔４２は、中間ケース１３の回転と一体に移動する解除ピン部２９ｂが描く弧状の軌跡に対応して弧状に形成されている。すなわち、中間ケース１３は、その左側面１３ｃと下側面１３ｂとが交差するコーナ部が、外側ケース１４の左側面と下面が交差するコーナ部に取り付けられているので、ロック解除用長孔４２は、外側ケース１４の左側面と下面が交差するコーナ部付近（支軸３７と軸受部４５が存在する付近）を中心とする円弧状に形成されている。
【００４７】
前記ロック解除部材１７は、図７に示すように、前記係止爪部材２９に設けられている前記解除ピン部２９ｂと、ロック解除用長孔４２に隣接して内張板３５ａの裏面側に配設されているロック解除操作片４３と、弾性部材であるコイルスプリング４４等により構成されている。
【００４８】
前記ロック解除操作片４３は、枢軸４６を支点として回転可能に内張板３５ａの裏面に取り付けられており、一端部４３ａはロック解除用長孔４２内に延出し、中間ケース１３の前記排出位置への回動に伴って該中間ケース１３と一体に移動されて来る解除ピン部２９ｂと当接可能に配設されており、他端部４３ｂはコイルスプリング４４の一端と連結されている。なお、コイルスプリング４４のばね力は、ロック部材１６をロック方向に回動付勢している弾性部材１５のばね力よりも大きく設定してある。
【００４９】
次に、このように構成されたカード保持具１１の動作を図１乃至図７に図８及び図９を加えて説明する。
【００５０】
(カード１８をカード保持具１１に収容して携行する場合)
カード１８を携行する場合は、内側ケース１２のカード用ポケット部２１内にカード１８が１枚または複数枚重ねて収容された後、この内側ケース１２が中間ケース１２の内側ケース用ポケット部２４内に押し込まれ、図５に示すように、係止爪部材２９の爪部２９ａが該内側ケース１２の切欠凹部２８に係合されてロック状態とされる。すなわち、中間ケース１３を「カード支持部」と考えるならば、係止爪部材２９と切欠凹部２８からなるロック部材１６、つまり、「保持手段」は、カード１８を内側ケース１２とともに弾性部材１５の付勢に抗して「カード支持部」である中間ケース１３の保持位置に保持していることになる。また、内側ケース１２を「カード支持部」と考えるならば、「保持手段」であるところのロック部材１６は、「カード支持部」であるところの内側ケース１２を弾性部材１５の付勢に抗して保持していることになる。さらにいえば、「保持手段」であるところのロック部材１６は、内側ケース１２を保持することで、内側ケース１２とともにあるカード１８をも保持しているといえる。さらに、中間ケース１２が格納位置側に回転されて、カード１８、内側ケース１２、中間ケース１３の全てが外側ケース１４内に収容されて、コンパクトな状態にされる。また、この状態では、内側ケース１２の開口２０は外側ケース１４の右側面１３ｄの内面と対向して閉塞され、内側ケース１２内のカード１８がカード保持具１１から脱落することはない。図１、図２、図７、図８(ａ)、図９(ａ)は、この携行時の状態を示している。この構成によれば、内側ケース１２を中間ケース１３の内側ケース用ポケット部２４に収容し、かつ、この中間ケース１３を、外側ケース１４の中間ケース用ポケット部３２内の格納位置に向けて回動させると、該中間ケース１４が内側ケース出し入れ用の開口２３を内側に向けて外側ケース１４内に収容される。また、この収容された状態がロック部材１６によるロック操作で保持される。そして、この収容状態では、内側ケース１２のカード取出用の開口２０及び中間ケース１３の内側ケース出し入れ用の開口２３は、外側ケース１４の内面と対向することによって塞がれる。したがって、カードは内側ケースから脱落することなく、確実に保持される。
【００５１】
(カード１８をカード保持具１１から取り出す場合)
次に、カード１８をカード保持具１１から取り出す場合は、外側ケース１４の上面に露出している中間ケース１３の摘み３８を指で摘んで上側に引き出すと、カード１８と内側ケース１２を収容している中間ケース１３が、正面視反時計回り方向(排出方向)に支軸３７と軸受部４５との結合部を支点にして回転する。そして、中間ケース１３が開口２３を上側に向けた９０度(排出位置)の近くまで回転すると、係止爪部材２９の解除ピン部２９ｂがロック解除操作片４３と当接する。
【００５２】
中間ケース１３がさらに回転されると、解除ピン部２９ｂはロック解除操作片４３に進路を妨害され、係止爪部材２９がスプリング３０の付勢に抗して正面視反時計回り方向に回転し、内側ケース１２の切欠凹部２８から係止爪部材２９の爪部２９ａが外れ、ロック部材１６によるロックが解除される。この構成によれば、中間ケース１３を外側ケース１４の格納位置から排出位置に向かって回動させ、中間ケース１３が所定の位置まで移動されると、ロック解除操作片４３がロック部材１６の係止部をロック解除側に逃がし、ロック部材１６の内側ケース１２に対するロックを自動的に解除できる。なお、このとき、ロック解除操作片４３はコイルスプリング４４の付勢に抗して正面視反時計回り方向に僅かに回転して、解除ピン部２９ｂがロック解除操作片４３を越えて排出位置側に移動するのを許容する。図８(ｂ)及び図９(ｂ)は、解除ピン部２９ｂがロック解除操作片４３を越える時の状態を示し、図８(ｃ)及び図９(ｃ)は解除ピン部２９ｂがロック解除操作片４３を越えて排出位置に移動し終えた状態を示している。
【００５３】
また、前記ロック部材１６による内側ケース１２のロックが解除されると、内側ケース１２の突起部２７が中間ケース１３側のストッパーと当接して移動が規制されるまで、内側ケース１２が中間ケース１３内から弾性部材１５の付勢により突出される。図３及び図６は、この状態を示す。これにより、開口２０を上側に向けている内側ケース１２内からカード１８を取り出し、または収容することができる。
【００５４】
以上のとおり、中間ケース１３を「カード支持部」と考えるならば、「カード支持部」たる中間ケース１３が第１の位置（格納位置）から第２の位置（排出位置）に切り換えられたことに応じて、内側ケース１２とともに行われている、カード１８のロック部材１６（「保持手段」）による保持が、解除ピン部２９ｂおよびロック解除操作片４３によって解除されることになる。また、外側ケース１４を本発明にいう「基部」と考えるのであれば、「カード支持部」たる中間ケース１３を「基部」たる外側ケース１４に対して動かすことにより、「保持手段」たるロック部材１６による保持が解除されることになる。さらに、弾性部材１５、「保持手段」たるロック部材１６、ロック部材１６による保持を解除する解除ピン部２９ｂおよびロック解除操作片４３は、「カード支持部」たる中間ケース１３の動きに応じて、内側ケース１２とともにカード１８を「カード支持部」たる中間ケース１３から突出させることになる。すなわち、弾性部材１５、「保持手段」たるロック部材１６、ロック部材１６による保持を解除する解除ピン部２９ｂおよびロック解除操作片４３は、本発明にいう「突出動作手段」を構成することになる。
【００５５】
また、内側ケース１２を「カード支持部」と考えるならば、「カード支持部」たる内側ケース１２が、中間ケース１３とともに第１の位置（格納位置）から第２の位置（排出位置）に切り換えられたことに応じて、解除ピン部２９ｂおよびロック解除操作片４３によって「カード支持部」たる内側ケース１２に対するロック部材１６（「保持手段」）による保持が解除されることになる。また、外側ケース１４を本発明にいう「基部」と考えるのであれば、「カード支持部」たる内側ケース１２を、中間ケース１３とともに、「基部」たる外側ケース１４に対して動かすことにより、「保持手段」たるロック部材１６による保持が解除されることになる。さらに、弾性部材１５、「保持手段」たるロック部材１６、ロック部材１６による保持を解除する解除ピン部２９ｂおよびロック解除操作片４３は、「カード支持部」たる内側ケース１２が中間ケース１３とともに動かされることに応じて、「カード支持部」たる内側ケース１３を突出させている。すなわち、弾性部材１５、「保持手段」たるロック部材１６、ロック部材１６による保持を解除する解除ピン部２９ｂおよびロック解除操作片４３は、本発明にいう「突出動作手段」を構成することになる。  
【００５６】
また、カード１８が、内側ケース１２、中間ケース１３とともに第１の位置（格納位置）から第２の位置（排出位置）に切り換えられたことに応じて、解除ピン部２９ｂおよびロック解除操作片４３によって、内側ケース１２に対するロック部材１６（「保持手段」）による保持が解除され、すなわち、カード１８に対する保持も解除されることになる。また、外側ケース１４を本発明にいう「基部」と考えるのであれば、カード１８が、内側ケース１２、中間ケース１３とともに、「基部」たる外側ケース１４に対して動かされることにより、「保持手段」たるロック部材１６による保持が解除されることになる。さらに、弾性部材１５、「保持手段」たるロック部材１６、ロック部材１６による保持を解除する解除ピン部２９ｂおよびロック解除操作片４３は、カード１８が、内側ケース１２、中間ケース１３とともに動かされることに応じて、カード１８を内側ケース１３とともに突出させている。すなわち、弾性部材１５、「保持手段」たるロック部材１６、ロック部材１６による保持を解除する解除ピン部２９ｂおよびロック解除操作片４３は、本発明にいう「突出動作手段」を構成することになる。
【００５７】
(内側ケース１２及び中間ケース１３を再び外側ケース１４内に収納する場合)
内側ケース１２及び中間ケース１３を再び外側ケース１４内に収納する場合は、まず、内側ケース１２を中間ケース１２の内側ケース用ポケット部２４内に、弾性部材１５の付勢に抗して押し込む。内側ケース１２が内側ケース用ポケット部２４の底部まで押し込まれると、図５に示すように、係止爪部材２９の爪部２９ａが再び該内側ケース１２の切欠凹部２８に係合されてロック状態になる。
【００５８】
次いで、中間ケース１２を格納位置側に回転させる。このとき、解除ピン部２９ｂがロック解除操作片４３と当接する。しかしながら、解除ピン部２９ｂには、スプリング３０によってロック解除方向とは反対のロック方向の力が付加されるので、係止爪部材２９はロック解除方向に回転することなく、ロック解除操作片４３をロック解除用長孔４２の外側方向に逃がし、ロック状態を維持したまま格納位置側に回転される。そして、格納位置では、カード１８、内側ケース１２、中間ケース１３の全てが外側ケース１４内に収容される。これにより、内側ケース１２内のカード１８がカード保持具１１から脱落することのない、図１、図２、図７、図８(ａ)、図９(ａ)の状態に戻る。
【００５９】
したがって、本実施の形態によるカード保持具１１によれば、カード１８を取り出すときにはカード保持具１１から容易に取り出すことが可能になる。
【００６０】
以上、本発明の好ましい実施例について詳述したが、本発明に係るカード保持具は上述した実施例に限定されるものではなく、特許請求の範囲に記載された本発明の要旨の範囲内において、種々の変形、変化が可能である。例えば、本実施例の内側ケース１２、中間ケース１３、外側ケース１４は、それぞれ一体に形成しないで、複数の部品に形成して、それを組み合わせてケース１３,１４,１５として形成してもよい。
【符号の説明】
【００６１】
１１      カード保持具
１２      内側ケース
１３      中間ケース
１３ａ    上側面
１３ｂ    下側面
１３ｃ    左側面
１３ｄ    右側面
１３ｅ    前側面
１３ｆ    後側面
１４      外側ケース
１４ａ    裏面
１５      弾性部材
１６      ロック部材
１７      ロック解除部材
１８      カード
１９      取付バンド
２０      カード取出用の開口
２１      カード用ポケット部
２２      切欠部  
２３      内側ケース出し入れ用の開口
２４      内側ケース用ポケット部
２５      係止部
２６      係止部
２７      突起部
２８      切欠凹部(被係止部)
２９      係止爪部材(係止部)
２９ａ    爪部
２９ｂ    解除ピン部
２９ｃ    取付片部
２９ｄ    枢軸
３０      スプリング
３１      中間ケース出し入れ用の開口
３２      中間ケース用ポケット部
３３      バンド取付部
３４      バンド取付穴
３５ａ    内張板
３５ｂ    内張板
３６      切欠部軸孔
３７      支軸
３８      摘み
３９      ガイドピン
４０      ガイド用長孔
４１      ガイド用長孔
４２      ロック解除用長孔
４３      ロック解除操作片
４４      コイルスプリング
４５      軸受部
【図１】
0005523073.tif 000002
【図２】
0005523073.tif 000003
【図３】
0005523073.tif 000004
【図４】
0005523073.tif 000005
【図５】
0005523073.tif 000006
【図６】
0005523073.tif 000007
【図７】
0005523073.tif 000008
【図８】
0005523073.tif 000009
【図９】
0005523073.tif 000010